(57)【要約】      （修正有）【課題】採用される、紙、ＰＥ粘着剤およびＰＥ網層がリサイクルすることが可能なものであり、ＰＥ網層は、全体の樹脂含有量が５０%以下であり、構造の強度を考慮して樹脂の使用を削減したエコメッシュバッグを提供する。【解決手段】エコメッシュバッグは、ベース層と、ＰＥ粘着剤と、ＰＥ網層と、を備え、ベース層の材質は紙を採用し、ＰＥ粘着剤とＰＥ網層とは、ラミネート加工により、ベース層に積み上げられ、ＰＥ粘着剤はベース層とＰＥ網層との間に介在する本体１と、間隔を置いて本体を切断する複数の切断線５１と、を備える。複数の切断線により、本体は載置区３１と延長区３２とに分けられ、載置区に切断線が設けられておらず、複数の切断線は、延長区に設けられ、載置区の周りに位置する。外力を受けると、延長区は載置区に対して延びて、シート状態から立体的な網袋状態に変形する。【選択図】図１
0003225976.tif 000002
【実用新案登録請求の範囲】
【請求項１】
ベース層と、ＰＥ粘着剤と、ＰＥ網層と、を備え、前記ベース層の材質は紙であり、前記ＰＥ粘着剤と前記ＰＥ網層とは、ラミネート加工により、前記ベース層に積み上げられ、前記ＰＥ粘着剤は前記ベース層と前記ＰＥ網層との間に介在する本体と、
間隔を置いて前記本体を切断する複数の切断線と、
を備えるエコメッシュバッグにおいて、
前記複数の切断線により、前記本体は載置区と延長区とに分けられ、前記載置区に前記切断線が設けられていないため、第１物体を支持することができ、前記複数の切断線は、前記延長区に設けられており、前記載置区の周りに位置するため、外力を受けると、前記延長区は前記載置区に対して延びて、前記本体は第１状態から第２状態になり、前記第１状態では、前記本体がシート状を呈し、前記第２状態では、前記本体が立体的な網袋状を呈することを特徴とするエコメッシュバッグ。
【請求項２】
前記ＰＥ網層は複数の網目を備え、前記ＰＥ粘着剤の第１部分は前記ベース層に滲入されており、前記ＰＥ粘着剤の第２部分は、前記ベース層と前記ＰＥ網層との間に位置し、両方を粘着し、前記ＰＥ粘着剤の第３部分は前記複数の網目を埋めることを特徴とする、請求項１に記載のエコメッシュバッグ。
【請求項３】
前記本体は、包摂部と、ハンドル部と、を備え、前記複数の切断線は前記包摂部に設けられており、前記包摂部は、前記載置区と、前記延長区と、を備え、前記本体が前記第１状態にあるときに、前記ハンドル部は前記包摂部の外周縁から突出し、前記本体が前記第２状態にあるときに、前記包摂部は前記第１物体を囲み、前記ハンドル部により、ユーザーは手で前記本体を引き上げて移動することができることを特徴とする、請求項１に記載のエコメッシュバッグ。
【請求項４】
前記包摂部の外周縁は二つの円弧段を備え、前記ハンドル部は二つの耳部を備え、前記包摂部の周方向において、前記二つの円弧段と前記二つの耳部とは交互に配置されており、前記包摂部の径方向において、二つの前記切断線は、円弧状を呈し、前記二つの耳部と前記包摂部との間に設けられており、前記二つの切断線の延長は前記二つの円弧段を通過し、前記本体が前記第１状態にあるときに、前記包摂部の外周縁の全体は円形の輪郭を呈することを特徴とする、請求項３に記載のエコメッシュバッグ。
【請求項５】
前記載置区は円形を呈し、前記延長区は、環状を呈し、前記載置区を囲み、前記載置区と前記延長区とは、同心状に配置され、前記延長区の最大半径と前記載置区の最大半径との比は、２より大きいことを特徴とする、請求項４に記載のエコメッシュバッグ。
【請求項６】
前記本体は、その一面が前記ＰＥ粘着剤と前記ＰＥ網層とに覆われており、他面が模様層に覆われていることを特徴とする、請求項１に記載のエコメッシュバッグ。
【請求項７】
少なくとも一つの収容部は前記載置区に設けられており、前記収容部に第２物体を置くことができ、前記収容部の面積は前記載置区の面積より小さいことを特徴とする、請求項１から６のいずれか１項に記載のエコメッシュバッグ。
【請求項８】
前記ＰＥ網層は、複数の第１糸条と、複数の第２糸条と、を備え、前記複数の第１糸条の寸法は、前記複数の第２糸条の寸法と異なり、前記複数の第１糸条と前記複数の第２糸条とは、互いに交錯するように編織されることを特徴とする、請求項１から６のいずれか１項に記載のエコメッシュバッグ。
【請求項９】
前記複数の第１糸条が交錯に編織されることにより、複数の第１網目を形成し、前記複数の第２糸条が交錯に編織されることにより、複数の第２網目を形成し、前記各第１網目の寸法は、前記第２網目の寸法と異なることを特徴とする、請求項７に記載のエコメッシュバッグ。
【請求項１０】
前記ＰＥ網層は複数の網目を備え、前記ＰＥ粘着剤の第１部分は、前記ベース層に滲入されており、前記ＰＥ粘着剤の第２部分は、前記ベース層と前記ＰＥ網層との間に介在し、両方を粘着し、前記ＰＥ粘着剤の第３部分は前記複数の網目を埋め、前記本体は、その一面が前記ＰＥ粘着剤と前記ＰＥ網層とに覆われており、他面が模様層に覆われており、前記ＰＥ網層は、複数の第１糸条と、複数の第２糸条と、を備え、前記複数の第１糸条の寸法は、前記複数の第２糸条の寸法と異なり、前記複数の第１糸条と前記複数の第２糸条とは、互いに交錯するように編織され、前記複数の第１糸条が交錯に編織されることにより、複数の第１網目を形成し、前記複数の第２糸条が交錯に編織されることにより、複数の第２網目を形成し、前記各第１網目の寸法は前記第２網目の寸法と異なり、前記第１網目の形状は前記第２網目の形状と同じであり、前記ＰＥ粘着剤の色は、前記ＰＥ網層の色と同じであり、両方の色は前記ベース層の色と異なり、前記包摂部の周方向において、複数の前記切断線は同じ間隔を置いて配置され、何れかの二つの前記切断線の間に連結部が設けられており、前記包摂部の径方向において、複数の前記切断線は同じ間隔を置いて配置され、前記包摂部の径方向において、前記各耳部の長さは何れかの二つの前記切断線の間の距離より大きく、前記ベース層の材質は再生紙であり、前記第１網目の面積は、前記第２網目の面積の２倍以上であり、前記第１網目と前記第２網目との配列方向は互いに異なり、少なくとも一つの収容部は、前記載置区に設けられており、前記収容部に第２物体を置くことができ、前記収容部の面積は前記載置区の面積より小さく、前記少なくとも一つの収容部は、二つあり、貫通孔であり、前記第２物体は前記収容部に差し込まれ、前記本体は、締め付け又は干渉によって前記第２物体と連動することを特徴とする、請求項５に記載のエコメッシュバッグ。
【考案の詳細な説明】
【技術分野】
【０００１】
本考案は、エコメッシュバッグに関するものである。
【背景技術】
【０００２】
コンビニエンスストアで電子レンジによって食べ物を温めた後、ビニル袋の代わりに不織布の網袋を提供することにより、温められた食べ物を持って移動することが可能となる。例えば台湾特許ＴＷＭ５６４９５２号に開示した袋は、このようなものである。
【０００３】
しかし、不織布は、実際に樹脂繊維で作製され、樹脂の一つであり、そして従来の製品は、品質が良くなく、汚くなりやすく、破損しやすく、一回利用された後に廃棄されることが一般的であるため、環境上の利点はない。
【先行技術文献】
【特許文献】
【０００４】
【特許文献１】台湾特許ＴＷＭ５６４９５２号公報
【考案の概要】
【考案が解決しようとする課題】
【０００５】
本考案の主な目的は、採用される、紙、ＰＥ粘着剤およびＰＥ網層がリサイクルすることが可能なものであり、ＰＥ網層は、ハイテクの作製プロセスによって作製されたため、樹脂を１００%採用するビニル袋に比べて、全体の樹脂含有量が５０%以下であり、そして構造の強度を考慮し、樹脂の使用を削減する目的を達成することが可能なエコメッシュバッグを提供することにある。
【課題を解決するための手段】
【０００６】
本考案に係るエコメッシュバッグによると、ベース層と、ＰＥ粘着剤と、ＰＥ網層と、を備え、ベース層の材質は紙であり、ＰＥ粘着剤とＰＥ網層とは、ラミネート加工により、ベース層に積み上げられ、ＰＥ粘着剤はベース層とＰＥ網層との間に介在する本体と、
間隔を置いて本体を切断する複数の切断線と、
を備えるエコメッシュバッグにおいて、
複数の切断線により、本体は載置区と延長区とに分けられ、載置区に切断線が設けられていないため、第１物体を支持することができ、複数の切断線は、延長区に設けられており、載置区の周りに位置するため、外力を受けると、延長区は載置区に対して延びて、本体は第１状態から第２状態になり、第１状態では、本体がシート状を呈し、第２状態では、本体が立体的な網袋状を呈することを特徴とする。
【０００７】
本考案に係るエコメッシュバッグによると、ＰＥ網層は複数の網目を備え、ＰＥ粘着剤の第１部分はベース層に滲入されており、ＰＥ粘着剤の第２部分は、ベース層とＰＥ網層との間に位置し、両方を粘着し、ＰＥ粘着剤の第３部分は複数の網目を埋めることを特徴とする。
【０００８】
本考案に係るエコメッシュバッグによると、本体は、包摂部と、ハンドル部と、を備え、複数の切断線は包摂部に設けられており、包摂部は、載置区と、延長区と、を備え、本体が第１状態にあるときに、ハンドル部は包摂部の外周縁から突出し、本体が第２状態にあるときに、包摂部は第１物体を囲み、ハンドル部により、ユーザは手で本体を引き上げて移動することができることを特徴とする。
【０００９】
本考案に係るエコメッシュバッグによると、包摂部の外周縁は二つの円弧段を備え、ハンドル部は二つの耳部を備え、包摂部の周方向において、二つの円弧段と二つの耳部とは交互に配置されており、包摂部の径方向において、二つの切断線は、円弧状を呈し、二つの耳部と包摂部との間に設けられており、二つの切断線の延長は二つの円弧段を通過し、本体が第１状態にあるときに、包摂部の外周縁の全体は円形の輪郭を呈することを特徴とする。
【００１０】
本考案に係るエコメッシュバッグによると、載置区は円形を呈し、延長区は、環状を呈し、載置区を囲み、載置区と延長区とは、同心状に配置され、延長区の最大半径と載置区の最大半径との比は、２より大きいことを特徴とする。
【００１１】
本考案に係るエコメッシュバッグによると、本体は、その一面をＰＥ粘着剤とＰＥ網層とに覆われており、他面を模様層に覆われていることを特徴とする。
【００１２】
本考案に係るエコメッシュバッグによると、少なくとも一つの収容部は載置区に設けられており、収容部に第２物体を置くことができ、収容部の面積は載置区の面積より小さいことを特徴とする。
【００１３】
本考案に係るエコメッシュバッグによると、ＰＥ網層は、複数の第１糸条と、複数の第２糸条と、を備え、複数の第１糸条の寸法は、複数の第２糸条の寸法と異なり、複数の第１糸条と複数の第２糸条とは、互いに交錯するように編織されることを特徴とする。
【００１４】
本考案に係るエコメッシュバッグによると、複数の第１糸条が交錯に編織されることにより、複数の第１網目を形成し、複数の第２糸条が交錯に編織されることにより、複数の第２網目を形成し、各第１網目の寸法は、第２網目の寸法と異なることを特徴とする。
【００１５】
本考案に係るエコメッシュバッグによると、ＰＥ網層は複数の網目を備え、ＰＥ粘着剤の第１部分は、ベース層に滲入されており、ＰＥ粘着剤の第２部分は、ベース層とＰＥ網層との間に介在し、両方を粘着し、ＰＥ粘着剤の第３部分は複数の網目を埋め、本体は、その一面をＰＥ粘着剤とＰＥ網層とに覆われており、他面を模様層に覆われており、ＰＥ網層は、複数の第１糸条と、複数の第２糸条と、を備え、複数の第１糸条の寸法は、複数の第２糸条の寸法と異なり、複数の第１糸条と複数の第２糸条とは、互いに交錯するように編織され、複数の第１糸条が交錯に編織されることにより、複数の第１網目を形成し、複数の第２糸条が交錯に編織されることにより、複数の第２網目を形成し、各第１網目の寸法は第２網目の寸法と異なり、第１網目の形状は第２網目の形状と同じであり、ＰＥ粘着剤の色は、ＰＥ網層の色と同じであり、両方の色はベース層の色と異なり、包摂部の周方向において、複数の切断線は同じ間隔を置いて配置され、何れかの二つの切断線の間に連結部が設けられており、包摂部の径方向において、複数の切断線は同じ間隔を置いて配置され、包摂部の径方向において、各耳部の長さは何れかの二つの切断線の間の距離より大きく、ベース層の材質は再生紙であり、第１網目の面積は、第２網目の面積の２倍以上であり、第１網目と第２網目との配列方向は互いに異なり、少なくとも一つの収容部は、載置区に設けられており、収容部に第２物体を置くことができ、収容部の面積は載置区の面積より小さく、少なくとも一つの収容部は、二つあり、貫通孔であり、第２物体は収容部に差し込まれ、本体は、締め付け又は干渉によって第２物体と連動することを特徴とする。
【考案の効果】
【００１６】
本考案に係るエコメッシュバッグによれば、採用される、紙、ＰＥ粘着剤およびＰＥ網層がリサイクルすることが可能なものであり、ＰＥ網層は、ハイテクの作製プロセスによって作製されたため、樹脂を１００%採用するビニル袋に比べて、全体の樹脂含有量が５０%以下であり、そして構造の強度を考慮し、樹脂の使用を削減する目的を達成するという効果を有する。
【図面の簡単な説明】
【００１７】
【図１】本考案に係るエコメッシュバッグを上方から見た斜視図である。
【図２】本考案に係るエコメッシュバッグを下方から見た斜視図である。
【図３】本考案に係るエコメッシュバッグを示す平面図である。
【図４】本考案に係るエコメッシュバッグを示す分解斜視図である。
【図５】本考案に係るＰＥ網層の一部を示す拡大図である。
【図６】本考案に係るエコメッシュバッグを示す断面図である。
【図７】本考案に係るエコメッシュバッグの第２状態を示す図である。
【図８】本考案に係るエコメッシュバッグの使用状態を示す図である。
【図９】本考案の別の実施形態に係るエコメッシュバッグの使用方法を示す図である。
【考案を実施するための形態】
【００１８】
以下、本考案の実施の形態を図面に基づいて説明する。
【００１９】
図１から図８を参照する。本考案の一実施形態に係るエコメッシュバッグは、本体１と、複数の切断線５１と、を備える。
【００２０】
本体１は、ベース層４１と、ＰＥ粘着剤４２と、ＰＥ網層４３と、を備える。ベース層４１は、紙を採用し、再生紙を採用することが好ましい。ＰＥ粘着剤４２とＰＥ網層４３とは、ラミネート加工により、ベース層４１に積み上げられている。ＰＥ粘着剤４２は、ベース層４１とＰＥ網層４３との間に介在し、両方を粘着する。複数の切断線５１は、間隔を置いて本体１を切断する。複数の切断線５１により、本体１は、載置区３１と、延長区３２とに分けられる。載置区３１に切断線５１が設けられていないことにより、第１物体８１を支持することができる。延長区３２に切断線５１が複数設けられており、複数の切断線５１は載置区３１の周りに設けられている。これにより、外力を受けると、延長区３２は載置区３１に対して延びて、本体１は第１状態から第２状態に変換する。前記第１状態にある本体１は、シート状を呈し、積み上げ及び収納をすることが便利である。前記第２状態にある本体１は、立体的な網袋状を呈し、第１物体８１を収容することができる。
【００２１】
ＰＥ網層４３は、ハイテクの作製プロセスによって作製されたため、樹脂を１００%採用するビニル袋に比べて、全体の樹脂含有量が５０%以下であり、そして構造の強度を考慮し、樹脂の使用を削減する目的を達成することが可能である。
【００２２】
ラミネート加工の過程中に、ＰＥ粘着剤４２が加熱されて溶けて圧延された後、ベース層４１とＰＥ網層４３とを粘着する。冷却して切断すると、本考案に係るエコメッシュバッグを得ることができる。また、ＰＥ網層４３とＰＥ粘着剤４２とは、材質が同じため、ＰＥ網層４３の一部が溶けると、ＰＥ網層４３はＰＥ粘着剤４２と良く連結することができる。
【００２３】
ＰＥ網層４３は複数の網目４４を備える。溶けたＰＥ粘着剤４２は、流れてベース層４１に滲入するため、冷却したＰＥ粘着剤４２の第１部分４２１はベース層４１に滲入する。ＰＥ粘着剤４２がベース層４１の内部に滲入した後、紙を採用するベース層４１は、ＰＥ網層４３とＰＥ粘着剤４２とに覆われていない側が、ある程度の耐水性があり、水に濡れたりしわになりにくく、元の状態を維持でき、印刷や落書きが簡単にできる紙の特性を保持する。なお、ＰＥ粘着剤４２の第２部分４２２は、ベース層４１とＰＥ網層４３とに粘着する。ＰＥ粘着剤４２の第３部分４２３は複数の網目４４を埋める。これにより、ベース層４１のＰＥ網層４３が覆われている側は、優れた耐水性と耐汚染性とを持つ。
【００２４】
本実施形態では、本体１の一面が、ＰＥ粘着剤４２とＰＥ網層４３とに覆われており、本体１の他面が模様層６に覆われている。カラー印刷、スプレーなどにより、ユーザーは、独自のブランド、カビ、スローガンなどを本体１に付けて、模様層６により、宣伝の効果を得ることができ、又は第１物体８１によって、違う模様層６を印刷して分類することができる。また、ＰＥ粘着剤４２とＰＥ網層４３とは、色が同じであり、透明で無色であり、その色がベース層４１の色と異なり、ベース層４１の色が背景色である。
【００２５】
特に、ＰＥ網層４３により、ベース層４１の構造の強度が大幅に強化されるため、第１物体８１の重量を受けることができる。編織されたＰＥ網層４３は、表面が凹凸なため、より優れた滑り止め能力を持つことができる。
【００２６】
具体的には、ＰＥ網層４３は、複数の第１糸条４３１と、複数の第２糸条４３２と、を備える。複数の第１糸条４３１と複数の第２糸条４３２とは、寸法が互いに異なり、互いに交錯するように編織されて複数の網目４４を形成する。異なる太さ及び大きさを有する、第１糸条４３１と第２糸条４３２とを互いに交錯するように編織されることにより、剛性と柔軟性の両方を実現することができる。
【００２７】
詳細には、複数の第１糸条４３１が交錯に編織されることにより、複数の第１網目４４１を形成し、複数の第２糸条４３２が交錯に編織されることにより、複数の第２網目４４２を形成し、各第１網目４４１の寸法は第２網目４４２の寸法と異なるため、多種の異なる立体空間および隙間が形成され、ＰＥ粘着剤４２により埋めた後、結合の緊密度を増加することができる。本実施形態では、第１網目４４１の形状は第２網目４４２の形状と同じであり、第１網目４４１の面積は第２網目４４２の面積の２倍以上であり、第１網目４４１と第２網目４４２との配列方向は互いに異なり、異なる方向からの外力を受けることができる。
【００２８】
本体１は、包摂部２１と、ハンドル部２２と、を備える。複数の切断線５１は包摂部２１に設けられている。包摂部２１は、載置区３１と、延長区３２と、を備える。本体１が前記第１状態にあるときに、ハンドル部２２は包摂部２１の外周縁２１１から突出する。本体１が前記第２状態にあるときに、包摂部２１は第１物体８１を囲み、ユーザーは手でハンドル部２２を握って移動することができる。
【００２９】
また、包摂部２１の外周縁２１１は、二つの円弧段２１２を備える。ハンドル部２２は、二つの耳部２２１を備える。包摂部２１の周方向７１において、二つの円弧段２１２と二つの耳部２２１とは交互に配置されている。本体１が前記第２状態にあるときには、二つの耳部２２１を引き上げることができる。包摂部２１の径方向７２において、二つの切断線５１は、円弧状を呈し、二つの耳部２２１と包摂部２１との間に設けられていることにより、二つの耳部２２１と包摂部２１を分ける。本体１が前記第２状態にあるときに、ハンドルを形成することができる。二つの切断線５１の延長は二つの円弧段２１２を通過する。本体１が前記第１状態にあるときに、包摂部２１の外周縁２１１の全体は円形の輪郭を呈する。
【００３０】
包摂部２１の周方向７１において、複数の切断線５１は同じ間隔を置いて配置され、何れかの二つの切断線５１の間に連結部５２が設けられている。包摂部２１の径方向７２において、複数の切断線５１も同じ間隔を置いて配置される。そして包摂部２１の径方向７２において、各耳部２２１の長さは、何れかの二つの切断線５１の間の距離より大きい。これにより、各耳部２２１はより多い面積で手部と接触することができ、重力による重量を分散することができる。
【００３１】
本実施形態では、載置区３１は、円形を呈し、異なる方向に沿う連結部５２に第１物体８１の重量を分散することができ、飲料が充填されているコップを収容することができる。そして延長区３２は、環状を呈し、載置区３１を囲む。載置区３１と延長区３２とは、同心するように配置される。延長区３２の最大半径と載置区３１の最大半径との比は、２以上である。これにより、本体１が前記第２状態にあるときに、延長区３２の延び可能な長さは十分であり、十分な深さを有する空間を形成することができ、第１物体８１を収容することができる。
【００３２】
図９を参照する。本考案の別の実施形態に係るエコメッシュバッグは、少なくとも一つの収容部２３は載置区３１Ａに設けられており、収容部２３に第２物体８２を置くことができる。収容部２３の面積は、載置区３１Ａの面積より小さい。ひいては載置区３１Ａは、図８に示すように、より大きい第１物体８１を支持することができ、そして収容部２３は、小型の第２物体８２を携帯することもできる。本実施形態に係る収容部２３は、二つあり、貫通孔である。第２物体８２は、収容部２３を挿通する。本体１Ａは、締め付け又は干渉によって第２物体８２と連動する。
【符号の説明】
【００３３】
１、１Ａ    本体
６    模様層
２１    包摂部
２２    ハンドル部
２３    収容部
３１、３１Ａ    載置区
３２    延長区
４１    ベース層
４２    ＰＥ粘着剤
４３    ＰＥ網層
４４    網目
５１    切断線
５２    連結部
７１    周方向
７２    径方向
８１    第１物体
８２    第２物体
２１１    外周縁
２１２    円弧段
２２１    耳部
４２１    第１部分
４２２    第２部分
４２３    第３部分
４３１    第１糸条
４３２    第２糸条
４４１    第１網目
４４２    第２網目
【図１】
0003225976.tif 000003
【図２】
0003225976.tif 000004
【図３】
0003225976.tif 000005
【図４】
0003225976.tif 000006
【図５】
0003225976.tif 000007
【図６】
0003225976.tif 000008
【図７】
0003225976.tif 000009
【図８】
0003225976.tif 000010
【図９】
0003225976.tif 000011
【手続補正書】
【提出日】令和2年2月13日(2020.2.13)
【手続補正１】
【補正対象書類名】実用新案登録請求の範囲
【補正対象項目名】請求項９
【補正方法】変更
【補正の内容】
【請求項９】
前記複数の第１糸条が交錯に編織されることにより、複数の第１網目を形成し、前記複数の第２糸条が交錯に編織されることにより、複数の第２網目を形成し、前記各第１網目の寸法は、前記第２網目の寸法と異なることを特徴とする、請求項８に記載のエコメッシュバッグ。